(57)【要約】【課題】従来のディスプレイケースは、形状によって収納時にもスペースが必要であったり、製造加工が難しかったり、展示物設置に手間がかかる高価なものであるという問題点があった。【解決手段】形状に特徴を有する工作機械が対応する台座とカバー面および留め具の組み合わせによって、簡便に組み立て分解が可能で、展示物の設置と出し入れがしやすいディスプレイケースを構成した。これにより、低コストで機能性の高く、収納時にコンパクトなディスプレイケースが提供できる。【選択図】図１５
2018114094.tif 000002
【特許請求の範囲】
【請求項１】
差し込み穴と溝を有する台座と、
カバー面からなる箱型のディスプレイケースであって、
前記カバー面は、カバー面同士の接続において留め具を用いた差し込み式の組み立て構造であり、
前記カバー面は、前記台座に展示物を設置したまま移動させずに１枚ずつ順番に組み立てと分解が可能であり、
前記カバー面は、前記台座以外の全部もしくは一部を同時に取り外すことで内部へのアクセスが可能であり、
従来のものと比較して低コストで製造が可能であることを特徴とするディスプレイケース。
【請求項２】
請求項１記載のディスプレイケースにおいて、さらに磁石を利用して情景シートを固定する機能を備えたことを特徴とするディスプレイケース。
【請求項３】
請求項１記載のディスプレイケースにおいて、さらに磁石を利用して展示物を固定する機能を備えたことを特徴とするディスプレイケース。
【発明の詳細な説明】
【技術分野】
【０００１】
本発明は、展示物を収納するディスプレイケースに関する。
【背景技術】
【０００２】
従来の鑑賞用ディスプレイケースは特許文献１に示すような立体的なカバーを備えたものがある。また特許文献２に示すようなコの字型カバーの組み合わせで立体的なディスプレイケースを構成するものも知られている。これらのディスプレイケースの形状は金型を用いた射出成型加工により製造されるもの、また異なる透明板材を接着剤によって接着し製造されるもの、あるいは加熱による折り曲げ加工によって製造されるものが知られている。
【０００３】
さらに、特許文献３に示すように板材からなるカバーを各辺ではめ込む方式や、特許文献４に示すような接着剤やネジなどの係止材を使わずにＩ字型、Ｌ字型、Ｔ字型の係合突起を利用して差し込み式で組み立てられる方法が知られている。
【先行技術文献】
【特許文献】
【０００４】
【特許文献１】特開２００６−６１１８６号  公報
【特許文献２】特開２００４−３２９８０５号  公報
【特許文献３】実登３１３３３０１号  公報
【特許文献４】特開２００４−１６８３３０号  公報
【発明の概要】
【発明が解決しようとする課題】
【０００５】
（請求項１）
第１の課題は、以上に述べた従来の立体的なカバーを備えたケースでは、収納時や店頭陳列時にスペースを占有してしまう問題点がある。
【０００６】
第２の課題は、以上に述べた従来の金型を使用した成型では、金型製作のコストがかかり、金型コスト回収のために生産ロットが大きくなる問題点がある。
【０００７】
第３の課題は、台座を除いた５面が一体成型のカバーでは、取り外す際に内部の展示物の高さとカバーの高さの和が必要で、上部空間に余裕がない場所での設置時は展示物を収納した状態でケースごと移動させる必要が生じるという問題点がある。
【０００８】
第４の課題は、以上に特許文献３で示した従来のカバーを凹凸である辺のはめ込みだけで固定する場合、カバーが分離しやすくなり、意図せぬカバー部の分離によって内部の展示物が破損するリスクが問題点として存在する。
【０００９】
第５の課題は、以上に述べた従来のカバー面の板材において接着剤を用いて接着したり、折り曲げによって加工されるものは、熟練した技術が必要であり、人為的ミスによる接着不良や曲げ不良を完全に排除することはできず、歩留まりの悪化がコスト上昇要因となる問題点がある。
【００１０】
第６の課題は、以上で述べた従来技術である接着剤やネジなどの係止材を用いないＩ字型、Ｌ字型、Ｔ字型の係合突起を利用して組み立てる方法では、その突起や留め具の形状に起因する強度不足により、突起が折れやすい問題点がある。とりわけ、ディスプレイケース全体としてのコスト低減を検討する際には、カバーを構成する板材の板厚を薄く抑えることが非常に効果的であるため、Ｉ字型、Ｌ字型、Ｔ字型の係合突起形状では強度がさらに低下する。
【００１１】
第７の課題は、従来の特許文献４に示す差し込み式ディスプレイケースの組み立て方法では、展示物を載せたまま台座を移動させないでカバーの組み立てと取り外しができないため、ディスプレイケース内部で展示物が移動してしまう問題点がある。
【００１２】
第８の課題は、従来の差し込み式ディスプレイケースでは、台座を持ち上げて組み立て分解を行ったり、同時に２面以上のカバー面を保持したまま組み立てたり分解したりする必要があり、組み立てが簡便ではないという問題点がある。
【００１３】
（請求項２）
請求項２の課題は、従来のディスプレイケースではカバーの素材そのままで展示利用されるため、展示物の外見が単調であるという問題点がある。
【００１４】
（請求項３）
請求項３の課題は、従来のディスプレイケースでは不安定な展示物の場合に台座の上に展示物の固定具を必要とするため、展示物の外見が損なわれてしまうという問題点がある。
【００１５】
そこで、本発明は上記課題を解決すべく、低コストで機能性と外見に付加価値を高めた組み立て式ディスプレイケースを提供することを目的とするものである。
【課題を解決するための手段】
【００１６】
本発明は上記目的を達成するために、請求項に記載の以下のような構成を有する。
なお、図面番号及び括弧内の符号は、発明の実施の形態において用いた番号及び符号を示し、本発明の技術的範囲を限定するものではない。
【００１７】
（請求項１）
請求項１記載の発明は上記目的を達成するために、第１の課題解決手段として組み立て式のディスプレイケース構造を採用した。
【００１８】
第２の課題解決手段として、レーザー加工切断機もしくはＣＮＣ（コンピュータ数値制御）工作機械による製造方法を採用した。
【００１９】
第３の課題解決手段として、前面だけでも取り外し可能で内部にアクセス可能な組み立て方法を採用した。
【００２０】
第４の課題解決手段として、カバー面の差し込み突起に留め具を利用して固定する組み立て構造を採用した。
【００２１】
第５の課題解決手段として、レーザー加工切断機もしくはＣＮＣ（コンピュータ数値制御）工作機械を利用する安定した製造方法を採用した。
【００２２】
第６の課題解決手段として、カバー面の突起部分の長さを短くし、かつ留め具の突起幅を広くとった形状とした。
【００２３】
第７の課題解決手段として、台座（１）に展示物を乗せた状態で移動させずに５面のカバー（２〜６）を差し込み式で組み立てや分解ができる構造とした。
【００２４】
第８の課題解決手段として、５面のカバーをそれぞれ１枚ずつ両手で順番に差し込んで組み立てや分解が行える構造とした。
【００２５】
上記第１の課題解決手段による作用は次の通りである。分解組み立て構造により収納時や店頭陳列時にコンパクトに収納することが可能となった。
【００２６】
第２の課題解決手段による作用は、１枚の板材料から製造を行うことが可能となり、金型が不要のため低コストで小ロットから製造が可能となった。
【００２７】
第３の課題解決手段による作用は、上部空間に余裕がないようなディスプレイケースの設置環境下においても、前面カバーのみ取り外して内部の展示物にアクセス可能となった。
【００２８】
第４の課題解決手段による作用は、カバー面を組み立てた状態の構造強度が増し、カバー面の意図せぬ分解による内部展示物の破損リスクが軽減した。
【００２９】
第５の課題解決手段による作用は、コンピューターを使用した材料の直接加工を行うことが可能となり、人為的なミスを防いで安定した製造を行うことができるようになり、歩留まりが向上してコスト低減が実現した。
【００３０】
第６の課題解決手段による作用は、図１３に示すような構造により、カバー面突起ならびに留め具（７）の強度が確保され、さらに従来技術を用いた場合と比較して、より板厚が薄いカバー面材料を使用することができ、コスト低減が可能となった。
【００３１】
第７の課題解決手段による作用は、台座（１）を移動させることなくカバー面の組み立てと取り外しが可能となったため、台座上の展示物も移動させてしまうことなく破損のリスクが軽減した。
【００３２】
第８の課題解決手段による作用は、台座を固定させたままカバー面を１枚ずつ順番に取り付けたり取り外したりすることが可能となり、両手を使ってより簡単に確実な組み立てと分解作業が行えるようになった。
【００３３】
（請求項２）
請求項２に記載の発明においては、カバー面や台座上に設置する情景や柄を模したシートを「情景シート」と定義し、請求項２の課題解決手段として、請求項１記載のディスプレイケース台座やカバー面上に磁性を有する金属部品を取り付け、情景シートを挟んだ上から磁石により、情景シートを設置固定できる構造とした。
【００３４】
上記の請求項２に関する課題解決手段による作用は、展示物の外見に臨場感やデザイン性などの付加価値を生じさせることができ、また情景シートを簡単に交換できることによって、さまざまな展示物に応じた情景や、好みに応じた情景を再現することができるようになった。
【００３５】
（請求項３）
請求項３の課題解決手段として、カバー面や台座上に磁性のある金属部品を取り付けることにより、展示物に取り付けた磁石によって固定することが可能となった。
【００３６】
上記請求項３に関連する課題解決手段による作用は、不安定な展示物の場合であってもしっかりと固定させることが可能となった。また、ディスプレイケース内で露見された展示物の固定補助具が不要となり、外見上の美観も向上した。
【発明の効果】
【００３７】
（請求項１）
上述したように、本発明のディスプレイケースは収納時にコンパクトで、利用時に設置場所を選ばず簡便に組み立て分解が可能で、利便性が向上した低コストのディスプレイケースを提供することができる。
【００３８】
（請求項２）
上述したように、本発明のディスプレイケースは、内部に設置される展示物の趣向に合った展示が可能となり、展示物の表現方法の幅を広げることが可能となる。
【００３９】
（請求項３）
上述したように、本発明のディスプレイケースは、内部に設置される不安定な展示物であってもしっかりと固定することが可能となり、地震などによる展示物の破損リスクが低減され、展示物の固定具を省略することにより、外見上の美観も向上する。
【図面の簡単な説明】
【００４０】
【図１】本発明の実施の形態であって、ディスプレイケースの部品一覧図である。
【図２】同ディスプレイケース台座（１）の水平断面図
【図３】同ディスプレイケースの組み立て手順１
【図４】同ディスプレイケースの組み立て手順２
【図５】同ディスプレイケースの組み立て手順３
【図６】同ディスプレイケースの組み立て手順４
【図７】同ディスプレイケースの組み立て手順５
【図８】同ディスプレイケースの組み立て手順６
【図９】同ディスプレイケースの組み立て手順７
【図１０】同ディスプレイケースの組み立て手順８
【図１１】同ディスプレイケースの組み立て手順９
【図１２】同ディスプレイケースへの留め具使用図
【図１３】同ディスプレイケースへの留め具使用詳細図
【図１４】同ディスプレイケースへの留め具使用状態図
【図１５】同ディスプレイケースの外観図
【図１６】同ディスプレイケースの板材料からの加工例図
【図１７】同ディスプレイケースへ請求項２に示す固定具の取り付け図
【図１８】同ディスプレイケースの請求項２に示す使用例図
【図１９】同ディスプレイケースへ請求項３に示す固定具の取り付け図１
【図２０】同ディスプレイケースへ請求項３に示す固定具の取り付け図２
【図２１】同ディスプレイケースの請求項３に示す使用例図
【発明を実施するための形態】
【００４１】
（請求項１）
以下、本発明の請求項１に関する実施の形態を図１〜図１６に基づいて説明する。
【００４２】
図においては、１は台座で、２は最初に台座に垂直に差し込むカバー面で、３と４は２のカバー面の左右に接続されるカバー面で、５は２〜４のカバー面に対して上部に被さるカバー面で、６は台座に対して前面となるカバー面である。７は３、４、５の側面突起に挿入してカバー面を固定するための留め具である。Ａは台座１に設けられた差し込み穴で、ＢはＡに差し込まれるカバー面２の突起であり、Ｃは台座１に設けられたカバー面３、４、６が挿入される溝である。Ｄはカバー面３、４、５の側面にある突起であり、Ｅは固定具７の突起が挿入される穴で、Ｆはカバー面３，４，５の側面突起Ｄが差し込まれる穴である。７（１）〜７（４）は固定具７の突起が挿入される穴Ｅに対して、Ｅ内側の側面に接する部分を表し、７（１）〜７（４）に接する側のＥ内側において、それぞれを対応する順にＤ（１）〜Ｄ（４）とする。Ｇはカバー面２〜６及び固定具７が切り出される一例の規格板材料であり、Ｈは台座を切削加工で切削を行う一例の規格板材料である。
【００４３】
以下、上記請求項１に関する構成の動作を説明する。まず図１６に示すような加工データを作成し、必要となる図１に示すような板材料をレーザー切断加工、ＣＮＣ（コンピュータ数値制御）工作機械による加工方法などを利用して用意しておく。板材料に関しては、工作機械が対応するものであればいかなる素材も利用可能である。特に、規格化された板材料であればコスト低減に寄与する。
【００４４】
台座１はカバー面２が差し込まれる差し込み穴Ａとカバー面３、４、６の下辺が挿入される溝Ｃを有する面が台座１の上面となるため、その面を上に向けて安定した水平面に、差し込み穴Ａがある辺を奥側にして設置する。この際、台座の上に設置する展示物の有無は問わない。
【００４５】
まず、図３に示す要領でカバー面２を台座１に垂直に差し込む。
【００４６】
次にカバー面３を図４に示す要領で突起の無い辺を下にして台座１上にある縦方向の溝Ｃの手前に合わせて、溝Ｃに台座面に対して垂直に挿入する。
【００４７】
そして図５に示すようにカバー面３の奥側突起Ｄをカバー面２の突起Ｄが挿入される穴Ｆに合わせて差し込む。
【００４８】
同様の手順で図６〜図７に示すように、カバー面４の突起Ｄもカバー面２の穴Ｆに合わせて差し込む。
【００４９】
次に図８に示すようにカバー面５をカバー面２の上部の穴Ｆに対して少し斜め上からカバー面３、４の上端突起Ｄに触れない角度を維持しながら差し込む。この際、カバー面２の上部の穴Ｆの垂直方向の穴の高さは、差し込まれるカバー面５の板厚より大きくとり、カバー面５が曲げられることなく斜めに挿入されるクリアランスを予め確保して設計しておく必要がある。
【００５０】
そして図９に示すようにカバー面５の突起Ｄをカバー面２上部の差し込み穴Ｆに最後まで突き当てた後にカバー面５の左右差し込み穴Ｆにカバー面３、４の上端突起Ｄを合わせて押し下げる。
【００５１】
次に図１０に示すようにカバー面６の上部を台座とは反対側に少し引いた斜めの状態で台座１の手前の溝に合わせて差し込む。この時、左右のカバー面３，４の一番下にある手前側の突起と接触しない角度が必要となるため、台座１上の溝Ｃの幅はカバー面５の板厚より大きくクリアランスを確保しておく。なお、本ディスプレイケース内に展示物を設置していない場合は、カバー面６を取り付ける前に展示物を設置しておく必要がある。
【００５２】
そして図１１に示すように、カバー面６の上部差し込み穴Ｆにカバー面５の突起Ｄが合うようにしてカバー面６の上部を奥に押し込んでいく。この時にディスプレイケースのサイズが大きい場合には、上部に被さるカバー面５の自重によりたわみが生じるため、カバー面５の手前側両隅部分を少し指で押し下げると手前の辺の中央部分が少し浮き上がるので、それに合わせてカバー面６の上部差し込み穴にカバー面５の手前側中央寄り突起を差し込むと良い。この状態で全５面の各差し込み穴Ｆと各突起Ｄの状態を確認してバランスを取り、台座１の溝にカバー面２，３，４，６の下辺がしっかり収まって接していることを確認する。
【００５３】
そして図１２に示すように、各留め具７をそれぞれ各カバー面の突起Ｄに設けられた固定具差し込み穴Ｅに合わせて差し込んでいく。図１３に示すように、各留め具７の突起側面７（１）〜７（４）は差し込まれる側のカバー面突起Ｄに設けられた各穴Ｅの内面と接触しながら差し込まれるため、固定具７の両端をしっかりと指で保持して水平かつ突起面Ｄに対して垂直に力を加えて挿入していく。
【００５４】
留め具７が各カバーの突起部Ｄに差し込まれた状態を図１４に示す。
【００５５】
図１５はディスプレイケースが組み立てられた状態の外観図である。
【００５６】
本ディスプレイケースの分解方法は、上記組み立て手順を逆にすることで分解が可能である。また、カバー面６はその上部と左右の留め具７を取り外すことにより図１０〜１１に示す手順の逆でカバー面６だけを取り外すことができ、内部の展示物にアクセス可能である。さらに、全５面の各２〜６のカバー面が全て留め具７によって固定された状態でカバー部全体を垂直に上に持ち上げることにより、カバー全体を一体成型カバーのように同時に取り外すことができる。さらに、カバー面２の上部左右の留め具７のみを外すことにより、カバー面３〜６の４面の状態で同時に取り外すことも可能である。この場合は、カバー面６の手前下側（カバー面６の下辺）を少し浮かせながらカバー面４面全体を手前に引くことで、４面のカバーを取り外すことが可能である。以上のように、本実施形態によれば省スペースかつ低コストで、低ロットからさまざまなバリエーションのディスプレイケースを製造することが可能で、設置場所の自由度も高く、組み立てた状態のカバー面の強度も確保でき、歩留まり向上とより安価な薄い板材料を利用できることによるコスト低減を実現した、展示物をより安定して展示でき、簡便で確実に組み立てと分解が可能なディスプレイケースが実現できるものである。
【００５７】
（請求項１の変形例１）
上記台座１に設けられた差し込み穴Ａに関し、台座１の上面から底面まで貫通していなければならない必要はない。カバー面２を挿すだけでしっかり固定されれば十分である。
【００５８】
（請求項２）
以下、本発明の請求項２に関する実施の形態を図１７〜図１８に基づいて説明する。
【００５９】
図１７、図１８において、８は磁性を有するタップビスであり、必要に応じてタップビスを固定する場所にＪのような下穴加工を設けておくとよい。カバー面に関して、９は頭部の低い磁性を有するネジであり、１０は９に対応するナットである。ネジ９を設置する場所にネジの径に応じたＫの貫通穴を設けておく。１１は磁性のあるタップビス８および磁性を有するネジ９に接着固定する磁石であり、１２は情景シートである。１３は展示物例の置物であり、本発明に関係はない。
【００６０】
図１８のように台座１や各カバー面に磁石を利用した情景シートの固定を行う場合には、まず情景シートの４隅に対応した箇所に磁性を有する金属固定具を設置する必要があるため、台座やカバー面の切断、切削加工時に必要とされる場所に穴あけ加工や切削加工を行っておく。少なくとも各々の情景シート１２の４隅に任意の金属固定具８〜１１を設け、情景シートのサイズによって必要な場合は設置個所を増やす。
【００６１】
展示物の設置後のカバー面取り付け方法及び取り外し方法は、図３〜図１５に準ずる。以上のように、本実施形態によれば、様々な展示物に応じた情景シートに活用によって展示物の外見に臨場感や趣向性を高める効果が実現できるものである。
【００６２】
（請求項２の変形例）
情景シート１２の設置対象は、台座１とカバー面２に限らず、その他のカバー面においても同様に設置利用可能である。また、貫通穴Ｋを設けずにカバー面の両側を磁石１１で挟んで固定しても良い。
【００６３】
（請求項３）
以下、本発明の請求項３に関する実施の形態を図１９〜図２１に基づいて説明する。
【００６４】
図において、１４は磁性を有する金属固定具であり、図１９の例では板状の形状を有する。１５は厚さの薄い磁石である。１６は展示物例の置物であり、本発明には関係ない。
【００６５】
図１９のように、磁性のある金属固定具１４の形状に応じて、台座１に設置する場合は必要に応じてその１４の形状に合わせて切削しておく。またカバー面に金属性固定具１４を設置する場合も同様である。いずれの場合も容易に外れることのないように両面テープや接着剤を用いて台座１や各カバー面（２〜６）にしっかり固定しておく。
【００６６】
次に、図２０に示すように展示物と金属製固定具１４が接する面に、薄い形状の磁石部品１５を両面テープなどで固定しておく。その際、展示物の形状や重量に応じて１５は複数個所取り付けたり、磁力の大きなより厚い磁石１５を必要に応じて使用することが望ましい。
【００６７】
図２１に示すように、金属製固定具１４に接する範囲において、展示物１６を設置固定する。
【００６８】
展示物設置後のカバー面取り付け方法及び取り外し方法は、図３〜図１５に準ずる。以上のように、本実施形態によれば、展示物の形状に応じて安定した固定が行える他、不安定な展示物を展示する際に必要となる固定補助具が不要となり、外見上の向上や臨場感を演出する効果が実現できるものである。
【００６９】
（請求項３の変形例）
磁性を有する金属固定具１４および磁石１５の設置は、台座１だけに限らず、その他のカバー面においても同様に設置利用可能である。また複合的に設置利用することも可能である。さらに、請求項２と請求項３は同時に利用しても構わない。
【符号の説明】
【００７０】
１  台座                           Ａ  差し込み穴
２  カバー面                       Ｂ  差し込み突起
３  カバー面                       Ｃ  カバー面挿入溝
４  カバー面                       Ｄ  差し込み突起
５  カバー面                       Ｅ  留め具差し込み穴
６  カバー面                       Ｆ  差し込み穴
７  留め具                         Ｇ  板材料
８  磁性を有するタップビス         Ｈ  板材料
９  磁性を有するネジ               Ｊ  タップビス用下穴
１０  ナット                       Ｋ  ネジ用の貫通穴
１１  情景シート固定用磁石
１２  情景シート
１３  展示物例の置物
１４  磁性を有する金属固定具
１５  磁石
１６  展示物例の置物
【図１】
2018114094.tif 000003
【図２】
2018114094.tif 000004
【図３】
2018114094.tif 000005
【図４】
2018114094.tif 000006
【図５】
2018114094.tif 000007
【図６】
2018114094.tif 000008
【図７】
2018114094.tif 000009
【図８】
2018114094.tif 000010
【図９】
2018114094.tif 000011
【図１０】
2018114094.tif 000012
【図１１】
2018114094.tif 000013
【図１２】
2018114094.tif 000014
【図１３】
2018114094.tif 000015
【図１４】
2018114094.tif 000016
【図１５】
2018114094.tif 000017
【図１６】
2018114094.tif 000018
【図１７】
2018114094.tif 000019
【図１８】
2018114094.tif 000020
【図１９】
2018114094.tif 000021
【図２０】
2018114094.tif 000022
【図２１】
2018114094.tif 000023
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
差し込み穴と溝を有する木材を原料とした台座と、
アクリルを原料としたカバー面からなる箱型のディスプレイケースであって、
前記カバー面は、カバー面同士の接続においてアクリルを原料とした留め具を用いた差し込み式の組み立て構造であり、
前記カバー面は、前記台座に展示物を設置したまま移動させずに１枚ずつ順番に組み立てと分解が可能であり、
前記カバー面は、前記台座以外の全部もしくは一部を同時に取り外すことで内部へのアクセスが可能であり、
製造工程において金型を一切使用しない
ことを特徴とするディスプレイケース。
【手続補正２】
【補正対象書類名】明細書
【補正対象項目名】全文
【補正方法】変更
【補正の内容】
【発明の詳細な説明】
【技術分野】
【０００１】
本発明は、展示物を収納するディスプレイケースに関する。
【背景技術】
【０００２】
従来の鑑賞用ディスプレイケースは特許文献１に示すような立体的なカバーを備えたものがある。また特許文献２に示すようなコの字型カバーの組み合わせで立体的なディスプレイケースを構成するものも知られている。これらのディスプレイケースの形状は金型を用いた射出成型加工により製造されるもの、また異なる透明板材を接着剤によって接着し製造されるもの、あるいは加熱による折り曲げ加工によって製造されるものが知られている。
【０００３】
さらに、特許文献３に示すように板材からなるカバーを各辺ではめ込む方式や、特許文献４に示すような接着剤やネジなどの係止材を使わずにＩ字型、Ｌ字型、Ｔ字型の係合突起を利用して差し込み式で組み立てられる方法が知られている。
【先行技術文献】
【特許文献】
【０００４】
【特許文献１】特開２００６−６１１８６号  公報
【特許文献２】特開２００４−３２９８０５号  公報
【特許文献３】実登３１３３３０１号  公報
【特許文献４】特開２００４−１６８３３０号  公報
【発明の概要】
【発明が解決しようとする課題】
【０００５】
第１の課題は、以上に述べた従来の立体的なカバーを備えたケースでは、収納時や店頭陳列時にスペースを占有してしまう問題点がある。
【０００６】
第２の課題は、以上に述べた従来の金型を使用した成型では、金型製作のコストがかかり、金型コスト回収のために生産ロットが大きくなる問題点がある。
【０００７】
第３の課題は、台座を除いた５面が一体成型のカバーでは、取り外す際に内部の展示物の高さとカバーの高さの和が必要で、上部空間に余裕がない場所での設置時は展示物を収納した状態でケースごと移動させる必要が生じるという問題点がある。
【０００８】
第４の課題は、以上に特許文献３で示した従来のカバーを凹凸である辺のはめ込みだけで固定する場合、カバーが分離しやすくなり、意図せぬカバー部の分離によって内部の展示物が破損するリスクが問題点として存在する。
【０００９】
第５の課題は、以上に述べた従来のカバー面の板材において接着剤を用いて接着したり、折り曲げによって加工されるものは、熟練した技術が必要であり、人為的ミスによる接着不良や曲げ不良を完全に排除することはできず、歩留まりの悪化がコスト上昇要因となる問題点がある。
【００１０】
第６の課題は、以上で述べた従来技術である接着剤やネジなどの係止材を用いないＩ字型、Ｌ字型、Ｔ字型の係合突起を利用して組み立てる方法では、その突起や留め具の形状に起因する強度不足により、突起が折れやすい問題点がある。とりわけ、ディスプレイケース全体としてのコスト低減を検討する際には、カバーを構成する板材の板厚を薄く抑えることが非常に効果的であるため、Ｉ字型、Ｌ字型、Ｔ字型の係合突起形状では強度がさらに低下する。
【００１１】
第７の課題は、従来の特許文献４に示す差し込み式ディスプレイケースの組み立て方法では、展示物を載せたまま台座を移動させないでカバーの組み立てと取り外しができないため、ディスプレイケース内部で展示物が移動してしまう問題点がある。
【００１２】
第８の課題は、従来の差し込み式ディスプレイケースでは、台座を持ち上げて組み立て分解を行ったり、同時に２面以上のカバー面を保持したまま組み立てたり分解したりする必要があり、組み立てが簡便ではないという問題点がある。
【００１３】
そこで、本発明は上記課題を解決すべく、低コストで機能性と外見に付加価値を高めた組み立て式ディスプレイケースを提供することを目的とするものである。
【課題を解決するための手段】
【００１４】
本発明は上記目的を達成するために、請求項に記載の以下のような構成を有する。
なお、図面番号及び括弧内の符号は、発明の実施の形態において用いた番号及び符号を示し、本発明の技術的範囲を限定するものではない。
【００１５】
請求項１記載の発明は上記目的を達成するために、第１の課題解決手段として組み立て式のディスプレイケース構造を採用した。
【００１６】
第２の課題解決手段として、レーザー加工切断機もしくはＣＮＣ（コンピュータ数値制御）工作機械による製造方法を採用した。
【００１７】
第３の課題解決手段として、前面だけでも取り外し可能で内部にアクセス可能な組み立て方法を採用した。
【００１８】
第４の課題解決手段として、カバー面の差し込み突起に留め具を利用して固定する組み立て構造を採用した。
【００１９】
第５の課題解決手段として、レーザー加工切断機もしくはＣＮＣ（コンピュータ数値制御）工作機械を利用する安定した製造方法を採用した。
【００２０】
第６の課題解決手段として、カバー面の突起部分の長さを短くし、かつ留め具の突起幅を広くとった形状とした。
【００２１】
第７の課題解決手段として、台座（１）に展示物を乗せた状態で移動させずに５面のカバー（２〜６）を差し込み式で組み立てや分解ができる構造とした。
【００２２】
第８の課題解決手段として、５面のカバーをそれぞれ１枚ずつ両手で順番に差し込んで組み立てや分解が行える構造とした。
【００２３】
上記第１の課題解決手段による作用は次の通りである。分解組み立て構造により収納時や店頭陳列時にコンパクトに収納することが可能となった。
【００２４】
第２の課題解決手段による作用は、１枚の板材料から製造を行うことが可能となり、金型が不要のため低コストで小ロットから製造が可能となった。
【００２５】
第３の課題解決手段による作用は、上部空間に余裕がないようなディスプレイケースの設置環境下においても、前面カバーのみ取り外して内部の展示物にアクセス可能となった。
【００２６】
第４の課題解決手段による作用は、カバー面を組み立てた状態の構造強度が増し、カバー面の意図せぬ分解による内部展示物の破損リスクが軽減した。
【００２７】
第５の課題解決手段による作用は、コンピューターを使用した材料の直接加工を行うことが可能となり、人為的なミスを防いで安定した製造を行うことができるようになり、歩留まりが向上してコスト低減が実現した。
【００２８】
第６の課題解決手段による作用は、図１３に示すような構造により、カバー面突起ならびに留め具（７）の強度が確保され、さらに従来技術を用いた場合と比較して、より板厚が薄いカバー面材料を使用することができ、コスト低減が可能となった。
【００２９】
第７の課題解決手段による作用は、台座（１）を移動させることなくカバー面の組み立てと取り外しが可能となったため、台座上の展示物も移動させてしまうことなく破損のリスクが軽減した。
【００３０】
第８の課題解決手段による作用は、台座を固定させたままカバー面を１枚ずつ順番に取り付けたり取り外したりすることが可能となり、両手を使ってより簡単に確実な組み立てと分解作業が行えるようになった。
【発明の効果】
【００３１】
上述したように、本発明のディスプレイケースは収納時にコンパクトで、利用時に設置場所を選ばず簡便に組み立て分解が可能で、利便性が向上した低コストのディスプレイケースを提供することができる。
【図面の簡単な説明】
【００３２】
【図１】本発明の実施の形態であって、ディスプレイケースの部品一覧図である。
【図２】同ディスプレイケース台座（１）の水平断面図
【図３】同ディスプレイケースの組み立て手順１
【図４】同ディスプレイケースの組み立て手順２
【図５】同ディスプレイケースの組み立て手順３
【図６】同ディスプレイケースの組み立て手順４
【図７】同ディスプレイケースの組み立て手順５
【図８】同ディスプレイケースの組み立て手順６
【図９】同ディスプレイケースの組み立て手順７
【図１０】同ディスプレイケースの組み立て手順８
【図１１】同ディスプレイケースの組み立て手順９
【図１２】同ディスプレイケースへの留め具使用図
【図１３】同ディスプレイケースへの留め具使用詳細図
【図１４】同ディスプレイケースへの留め具使用状態図
【図１５】同ディスプレイケースの外観図
【図１６】同ディスプレイケースの板材料からの加工例図
【発明を実施するための形態】
【００３３】
以下、本発明の請求項１に関する実施の形態を図１〜図１６に基づいて説明する。
【００３４】
図においては、１は台座で、２は最初に台座に垂直に差し込むカバー面で、３と４は２のカバー面の左右に接続されるカバー面で、５は２〜４のカバー面に対して上部に被さるカバー面で、６は台座に対して前面となるカバー面である。７は３、４、５の側面突起に挿入してカバー面を固定するための留め具である。Ａは台座１に設けられた差し込み穴で、ＢはＡに差し込まれるカバー面２の突起であり、Ｃは台座１に設けられたカバー面３、４、６が挿入される溝である。Ｄはカバー面３、４、５の側面にある突起であり、Ｅは固定具７の突起が挿入される穴で、Ｆはカバー面３，４，５の側面突起Ｄが差し込まれる穴である。７（１）〜７（４）は固定具７の突起が挿入される穴Ｅに対して、Ｅ内側の側面に接する部分を表し、７（１）〜７（４）に接する側のＥ内側において、それぞれを対応する順にＤ（１）〜Ｄ（４）とする。Ｇはカバー面２〜６及び固定具７が切り出される一例の規格アクリル製板材料であり、Ｈは台座を切削加工で切削を行う一例の規格木製板材料である。
【００３５】
以下、上記請求項１に関する構成の動作を説明する。まず図１６に示すような加工データを作成し、必要となる図１に示すような板材料をレーザー切断加工、ＣＮＣ（コンピュータ数値制御）工作機械による加工方法を利用して用意しておく。
【００３６】
台座１はカバー面２が差し込まれる差し込み穴Ａとカバー面３、４、６の下辺が挿入される溝Ｃを有する面が台座１の上面となるため、その面を上に向けて安定した水平面に、差し込み穴Ａがある辺を奥側にして設置する。この際、台座の上に設置する展示物の有無は問わない。
【００３７】
まず、図３に示す要領でカバー面２を台座１に垂直に差し込む。
【００３８】
次にカバー面３を図４に示す要領で突起の無い辺を下にして台座１上にある縦方向の溝Ｃの手前に合わせて、溝Ｃに台座面に対して垂直に挿入する。
【００３９】
そして図５に示すようにカバー面３の奥側突起Ｄをカバー面２の突起Ｄが挿入される穴Ｆに合わせて差し込む。
【００４０】
同様の手順で図６〜図７に示すように、カバー面４の突起Ｄもカバー面２の穴Ｆに合わせて差し込む。
【００４１】
次に図８に示すようにカバー面５をカバー面２の上部の穴Ｆに対して少し斜め上からカバー面３、４の上端突起Ｄに触れない角度を維持しながら差し込む。この際、カバー面２の上部の穴Ｆの垂直方向の穴の高さは、差し込まれるカバー面５の板厚より大きくとり、カバー面５が曲げられることなく斜めに挿入されるクリアランスを予め確保して設計しておく必要がある。
【００４２】
そして図９に示すようにカバー面５の突起Ｄをカバー面２上部の差し込み穴Ｆに最後まで突き当てた後にカバー面５の左右差し込み穴Ｆにカバー面３、４の上端突起Ｄを合わせて押し下げる。
【００４３】
次に図１０に示すようにカバー面６の上部を台座とは反対側に少し引いた斜めの状態で台座１の手前の溝に合わせて差し込む。この時、左右のカバー面３，４の一番下にある手前側の突起と接触しない角度が必要となるため、台座１上の溝Ｃの幅はカバー面５の板厚より大きくクリアランスを確保しておく。なお、本ディスプレイケース内に展示物を設置していない場合は、カバー面６を取り付ける前に展示物を設置しておく必要がある。
【００４４】
そして図１１に示すように、カバー面６の上部差し込み穴Ｆにカバー面５の突起Ｄが合うようにしてカバー面６の上部を奥に押し込んでいく。この時にディスプレイケースのサイズが大きい場合には、上部に被さるカバー面５の自重によりたわみが生じるため、カバー面５の手前側両隅部分を少し指で押し下げると手前の辺の中央部分が少し浮き上がるので、それに合わせてカバー面６の上部差し込み穴にカバー面５の手前側中央寄り突起を差し込むと良い。この状態で全５面の各差し込み穴Ｆと各突起Ｄの状態を確認してバランスを取り、台座１の溝にカバー面２，３，４，６の下辺がしっかり収まって接していることを確認する。
【００４５】
そして図１２に示すように、各留め具７をそれぞれ各カバー面の突起Ｄに設けられた固定具差し込み穴Ｅに合わせて差し込んでいく。図１３に示すように、各留め具７の突起側面７（１）〜７（４）は差し込まれる側のカバー面突起Ｄに設けられた各穴Ｅの内面と接触しながら差し込まれるため、固定具７の両端をしっかりと指で保持して水平かつ突起面Ｄに対して垂直に力を加えて挿入していく。
【００４６】
留め具７が各カバーの突起部Ｄに差し込まれた状態を図１４に示す。
【００４７】
図１５はディスプレイケースが組み立てられた状態の外観図である。
【００４８】
本ディスプレイケースの分解方法は、上記組み立て手順を逆にすることで分解が可能である。また、カバー面６はその上部と左右の留め具７を取り外すことにより図１０〜１１に示す手順の逆でカバー面６だけを取り外すことができ、内部の展示物にアクセス可能である。さらに、全５面の各２〜６のカバー面が全て留め具７によって固定された状態でカバー部全体を垂直に上に持ち上げることにより、カバー全体を一体成型カバーのように同時に取り外すことができる。さらに、カバー面２の上部左右の留め具７のみを外すことにより、カバー面３〜６の４面の状態で同時に取り外すことも可能である。この場合は、カバー面６の手前下側（カバー面６の下辺）を少し浮かせながらカバー面４面全体を手前に引くことで、４面のカバーを取り外すことが可能である。以上のように、本実施形態によれば省スペースかつ低コストで、低ロットからさまざまなバリエーションのディスプレイケースを製造することが可能で、設置場所の自由度も高く、組み立てた状態のカバー面の強度も確保でき、歩留まり向上とより安価な薄い板材料を利用できることによるコスト低減を実現した、展示物をより安定して展示でき、簡便で確実に組み立てと分解が可能なディスプレイケースが実現できるものである。
【００４９】
（請求項１の変形例１）
上記台座１に設けられた差し込み穴Ａに関し、台座１の上面から底面まで貫通していなければならない必要はない。カバー面２を挿すだけでしっかり固定されれば十分である。
【符号の説明】
【００５０】
１  台座
２  カバー面
３  カバー面
４  カバー面
５  カバー面
６  カバー面
７  留め具
Ａ  差し込み穴
Ｂ  差し込み突起
Ｃ  カバー面挿入溝
Ｄ  差し込み突起
Ｅ  留め具差し込み穴
Ｆ  差し込み穴
Ｇ  板材料
Ｈ  板材料
【手続補正４】
【補正対象書類名】図面
【補正対象項目名】図１７
【補正方法】削除
【補正の内容】
【手続補正５】
【補正対象書類名】図面
【補正対象項目名】図１８
【補正方法】削除
【補正の内容】
【手続補正６】
【補正対象書類名】図面
【補正対象項目名】図１９
【補正方法】削除
【補正の内容】
【手続補正７】
【補正対象書類名】図面
【補正対象項目名】図２０
【補正方法】削除
【補正の内容】
【手続補正８】
【補正対象書類名】図面
【補正対象項目名】図２１
【補正方法】削除
【補正の内容】
【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
差し込み穴と溝を有する工作機械が対応するあらゆる材料からなる台座と、
工作機械が対応するあらゆる材料からなるカバー面からなる箱型のディスプレイケースであって、
前記カバー面は、カバー面同士の接続において工作機械が対応するあらゆる材料からなる留め具を用いた差し込み式の組み立て構造であり、
前記カバー面は、前記台座に展示物を設置したまま移動させずに１枚ずつ順番に組み立てと分解が可能であり、
前記カバー面は、前記台座以外の全部もしくは一部を同時に取り外すことで内部へのアクセスが可能であり、
製造工程において金型を一切使用しない
ことを特徴とするディスプレイケース。
【手続補正２】
【補正対象書類名】明細書
【補正対象項目名】全文
【補正方法】変更
【補正の内容】
【発明の詳細な説明】
【技術分野】
【０００１】
本発明は、展示物を収納するディスプレイケースに関する。
【背景技術】
【０００２】
従来の鑑賞用ディスプレイケースは特許文献１に示すような立体的なカバーを備えたものがある。また特許文献２に示すようなコの字型カバーの組み合わせで立体的なディスプレイケースを構成するものも知られている。これらのディスプレイケースの形状は金型を用いた射出成型加工により製造されるもの、また異なる透明板材を接着剤によって接着し製造されるもの、あるいは加熱による折り曲げ加工によって製造されるものが知られている。
【０００３】
さらに、特許文献３に示すように板材からなるカバーを各辺ではめ込む方式や、特許文献４に示すような接着剤やネジなどの係止材を使わずにＩ字型、Ｌ字型、Ｔ字型の係合突起を利用して差し込み式で組み立てられる方法が知られている。
【先行技術文献】
【特許文献】
【０００４】
【特許文献１】特開２００６−６１１８６号  公報
【特許文献２】特開２００４−３２９８０５号  公報
【特許文献３】実登３１３３３０１号  公報
【特許文献４】特開２００４−１６８３３０号  公報
【発明の概要】
【発明が解決しようとする課題】
【０００５】
第１の課題は、以上に述べた従来の立体的なカバーを備えたケースでは、収納時や店頭陳列時にスペースを占有してしまう問題点がある。
【０００６】
第２の課題は、以上に述べた従来の金型を使用した成型では、金型製作のコストがかかり、金型コスト回収のために生産ロットが大きくなる問題点がある。
【０００７】
第３の課題は、台座を除いた５面が一体成型のカバーでは、取り外す際に内部の展示物の高さとカバーの高さの和が必要で、上部空間に余裕がない場所での設置時は展示物を収納した状態でケースごと移動させる必要が生じるという問題点がある。
【０００８】
第４の課題は、以上に特許文献３で示した従来のカバーを凹凸である辺のはめ込みだけで固定する場合、カバーが分離しやすくなり、意図せぬカバー部の分離によって内部の展示物が破損するリスクが問題点として存在する。
【０００９】
第５の課題は、以上に述べた従来のカバー面の板材において接着剤を用いて接着したり、折り曲げによって加工されるものは、熟練した技術が必要であり、人為的ミスによる接着不良や曲げ不良を完全に排除することはできず、歩留まりの悪化がコスト上昇要因となる問題点がある。
【００１０】
第６の課題は、以上で述べた従来技術である接着剤やネジなどの係止材を用いないＩ字型、Ｌ字型、Ｔ字型の係合突起を利用して組み立てる方法では、その突起や留め具の形状に起因する強度不足により、突起が折れやすい問題点がある。とりわけ、ディスプレイケース全体としてのコスト低減を検討する際には、カバーを構成する板材の板厚を薄く抑えることが非常に効果的であるため、Ｉ字型、Ｌ字型、Ｔ字型の係合突起形状では強度がさらに低下する。
【００１１】
第７の課題は、従来の特許文献４に示す差し込み式ディスプレイケースの組み立て方法では、展示物を載せたまま台座を移動させないでカバーの組み立てと取り外しができないため、ディスプレイケース内部で展示物が移動してしまう問題点がある。
【００１２】
第８の課題は、従来の差し込み式ディスプレイケースでは、台座を持ち上げて組み立て分解を行ったり、同時に２面以上のカバー面を保持したまま組み立てたり分解したりする必要があり、組み立てが簡便ではないという問題点がある。
【００１３】
そこで、本発明は上記課題を解決すべく、低コストで機能性と外見に付加価値を高めた組み立て式ディスプレイケースを提供することを目的とするものである。
【課題を解決するための手段】
【００１４】
本発明は上記目的を達成するために、請求項に記載の以下のような構成を有する。
なお、図面番号及び括弧内の符号は、発明の実施の形態において用いた番号及び符号を示し、本発明の技術的範囲を限定するものではない。
【００１５】
請求項１記載の発明は上記目的を達成するために、第１の課題解決手段として組み立て式のディスプレイケース構造を採用した。
【００１６】
第２の課題解決手段として、レーザー加工切断機もしくはＣＮＣ（コンピュータ数値制御）工作機械による製造方法を採用した。
【００１７】
第３の課題解決手段として、前面だけでも取り外し可能で内部にアクセス可能な組み立て方法を採用した。
【００１８】
第４の課題解決手段として、カバー面の差し込み突起に留め具を利用して固定する組み立て構造を採用した。
【００１９】
第５の課題解決手段として、レーザー加工切断機もしくはＣＮＣ（コンピュータ数値制御）工作機械を利用する安定した製造方法を採用した。
【００２０】
第６の課題解決手段として、カバー面の突起部分の長さを短くし、かつ留め具の突起幅を広くとった形状とした。
【００２１】
第７の課題解決手段として、台座（１）に展示物を乗せた状態で移動させずに５面のカバー（２〜６）を差し込み式で組み立てや分解ができる構造とした。
【００２２】
第８の課題解決手段として、５面のカバーをそれぞれ１枚ずつ両手で順番に差し込んで組み立てや分解が行える構造とした。
【００２３】
上記第１の課題解決手段による作用は次の通りである。分解組み立て構造により収納時や店頭陳列時にコンパクトに収納することが可能となった。
【００２４】
第２の課題解決手段による作用は、１枚の板材料から製造を行うことが可能となり、金型が不要のため低コストで小ロットから製造が可能となった。
【００２５】
第３の課題解決手段による作用は、上部空間に余裕がないようなディスプレイケースの設置環境下においても、前面カバーのみ取り外して内部の展示物にアクセス可能となった。
【００２６】
第４の課題解決手段による作用は、カバー面を組み立てた状態の構造強度が増し、カバー面の意図せぬ分解による内部展示物の破損リスクが軽減した。
【００２７】
第５の課題解決手段による作用は、コンピューターを使用した材料の直接加工を行うことが可能となり、人為的なミスを防いで安定した製造を行うことができるようになり、歩留まりが向上してコスト低減が実現した。
【００２８】
第６の課題解決手段による作用は、図１３に示すような構造により、カバー面突起ならびに留め具（７）の強度が確保され、さらに従来技術を用いた場合と比較して、より板厚が薄いカバー面材料を使用することができ、コスト低減が可能となった。
【００２９】
第７の課題解決手段による作用は、台座（１）を移動させることなくカバー面の組み立てと取り外しが可能となったため、台座上の展示物も移動させてしまうことなく破損のリスクが軽減した。
【００３０】
第８の課題解決手段による作用は、台座を固定させたままカバー面を１枚ずつ順番に取り付けたり取り外したりすることが可能となり、両手を使ってより簡単に確実な組み立てと分解作業が行えるようになった。
【発明の効果】
【００３１】
上述したように、本発明のディスプレイケースは収納時にコンパクトで、利用時に設置場所を選ばず簡便に組み立て分解が可能で、利便性が向上した低コストのディスプレイケースを提供することができる。
【図面の簡単な説明】
【００３２】
【図１】本発明の実施の形態であって、ディスプレイケースの部品一覧図である。
【図２】同ディスプレイケース台座（１）の水平断面図
【図３】同ディスプレイケースの組み立て手順１
【図４】同ディスプレイケースの組み立て手順２
【図５】同ディスプレイケースの組み立て手順３
【図６】同ディスプレイケースの組み立て手順４
【図７】同ディスプレイケースの組み立て手順５
【図８】同ディスプレイケースの組み立て手順６
【図９】同ディスプレイケースの組み立て手順７
【図１０】同ディスプレイケースの組み立て手順８
【図１１】同ディスプレイケースの組み立て手順９
【図１２】同ディスプレイケースへの留め具使用図
【図１３】同ディスプレイケースへの留め具使用詳細図
【図１４】同ディスプレイケースへの留め具使用状態図
【図１５】同ディスプレイケースの外観図
【図１６】同ディスプレイケースの板材料からの加工例図
【発明を実施するための形態】
【００３３】
以下、本発明の請求項１に関する実施の形態を図１〜図１６に基づいて説明する。
【００３４】
図においては、１は台座で、２は最初に台座に垂直に差し込むカバー面で、３と４は２のカバー面の左右に接続されるカバー面で、５は２〜４のカバー面に対して上部に被さるカバー面で、６は台座に対して前面となるカバー面である。７は３、４、５の側面突起に挿入してカバー面を固定するための留め具である。Ａは台座１に設けられた差し込み穴で、ＢはＡに差し込まれるカバー面２の突起であり、Ｃは台座１に設けられたカバー面３、４、６が挿入される溝である。Ｄはカバー面３、４、５の側面にある突起であり、Ｅは固定具７の突起が挿入される穴で、Ｆはカバー面３，４，５の側面突起Ｄが差し込まれる穴である。７（１）〜７（４）は固定具７の突起が挿入される穴Ｅに対して、Ｅ内側の側面に接する部分を表し、７（１）〜７（４）に接する側のＥ内側において、それぞれを対応する順にＤ（１）〜Ｄ（４）とする。Ｇはカバー面２〜６及び固定具７が切り出される一例の規格板材料であり、Ｈは台座を切削加工で切削を行う一例の規格板材料である。
【００３５】
以下、上記請求項１に関する構成の動作を説明する。まず図１６に示すような加工データを作成し、必要となる図１に示すような板材料をレーザー切断加工、ＣＮＣ（コンピュータ数値制御）工作機械による加工方法を利用して用意しておく。板材料に関しては、工作機械が対応するものであればいかなる素材も利用可能である。特に、規格化された板材料であればコスト低減に寄与する。
【００３６】
台座１はカバー面２が差し込まれる差し込み穴Ａとカバー面３、４、６の下辺が挿入される溝Ｃを有する面が台座１の上面となるため、その面を上に向けて安定した水平面に、差し込み穴Ａがある辺を奥側にして設置する。この際、台座の上に設置する展示物の有無は問わない。
【００３７】
まず、図３に示す要領でカバー面２を台座１に垂直に差し込む。
【００３８】
次にカバー面３を図４に示す要領で突起の無い辺を下にして台座１上にある縦方向の溝Ｃの手前に合わせて、溝Ｃに台座面に対して垂直に挿入する。
【００３９】
そして図５に示すようにカバー面３の奥側突起Ｄをカバー面２の突起Ｄが挿入される穴Ｆに合わせて差し込む。
【００４０】
同様の手順で図６〜図７に示すように、カバー面４の突起Ｄもカバー面２の穴Ｆに合わせて差し込む。
【００４１】
次に図８に示すようにカバー面５をカバー面２の上部の穴Ｆに対して少し斜め上からカバー面３、４の上端突起Ｄに触れない角度を維持しながら差し込む。この際、カバー面２の上部の穴Ｆの垂直方向の穴の高さは、差し込まれるカバー面５の板厚より大きくとり、カバー面５が曲げられることなく斜めに挿入されるクリアランスを予め確保して設計しておく必要がある。
【００４２】
そして図９に示すようにカバー面５の突起Ｄをカバー面２上部の差し込み穴Ｆに最後まで突き当てた後にカバー面５の左右差し込み穴Ｆにカバー面３、４の上端突起Ｄを合わせて押し下げる。
【００４３】
次に図１０に示すようにカバー面６の上部を台座とは反対側に少し引いた斜めの状態で台座１の手前の溝に合わせて差し込む。この時、左右のカバー面３，４の一番下にある手前側の突起と接触しない角度が必要となるため、台座１上の溝Ｃの幅はカバー面５の板厚より大きくクリアランスを確保しておく。なお、本ディスプレイケース内に展示物を設置していない場合は、カバー面６を取り付ける前に展示物を設置しておく必要がある。
【００４４】
そして図１１に示すように、カバー面６の上部差し込み穴Ｆにカバー面５の突起Ｄが合うようにしてカバー面６の上部を奥に押し込んでいく。この時にディスプレイケースのサイズが大きい場合には、上部に被さるカバー面５の自重によりたわみが生じるため、カバー面５の手前側両隅部分を少し指で押し下げると手前の辺の中央部分が少し浮き上がるので、それに合わせてカバー面６の上部差し込み穴にカバー面５の手前側中央寄り突起を差し込むと良い。この状態で全５面の各差し込み穴Ｆと各突起Ｄの状態を確認してバランスを取り、台座１の溝にカバー面２，３，４，６の下辺がしっかり収まって接していることを確認する。
【００４５】
そして図１２に示すように、各留め具７をそれぞれ各カバー面の突起Ｄに設けられた固定具差し込み穴Ｅに合わせて差し込んでいく。図１３に示すように、各留め具７の突起側面７（１）〜７（４）は差し込まれる側のカバー面突起Ｄに設けられた各穴Ｅの内面と接触しながら差し込まれるため、固定具７の両端をしっかりと指で保持して水平かつ突起面Ｄに対して垂直に力を加えて挿入していく。
【００４６】
留め具７が各カバーの突起部Ｄに差し込まれた状態を図１４に示す。
【００４７】
図１５はディスプレイケースが組み立てられた状態の外観図である。
【００４８】
本ディスプレイケースの分解方法は、上記組み立て手順を逆にすることで分解が可能である。また、カバー面６はその上部と左右の留め具７を取り外すことにより図１０〜１１に示す手順の逆でカバー面６だけを取り外すことができ、内部の展示物にアクセス可能である。さらに、全５面の各２〜６のカバー面が全て留め具７によって固定された状態でカバー部全体を垂直に上に持ち上げることにより、カバー全体を一体成型カバーのように同時に取り外すことができる。さらに、カバー面２の上部左右の留め具７のみを外すことにより、カバー面３〜６の４面の状態で同時に取り外すことも可能である。この場合は、カバー面６の手前下側（カバー面６の下辺）を少し浮かせながらカバー面４面全体を手前に引くことで、４面のカバーを取り外すことが可能である。以上のように、本実施形態によれば省スペースかつ低コストで、低ロットからさまざまなバリエーションのディスプレイケースを製造することが可能で、設置場所の自由度も高く、組み立てた状態のカバー面の強度も確保でき、歩留まり向上とより安価な薄い板材料を利用できることによるコスト低減を実現した、展示物をより安定して展示でき、簡便で確実に組み立てと分解が可能なディスプレイケースが実現できるものである。
【００４９】
（請求項１の変形例１）
上記台座１に設けられた差し込み穴Ａに関し、台座１の上面から底面まで貫通していなければならない必要はない。カバー面２を挿すだけでしっかり固定されれば十分である。
【符号の説明】
【００５０】
１  台座
２  カバー面
３  カバー面
４  カバー面
５  カバー面
６  カバー面
７  留め具
Ａ  差し込み穴
Ｂ  差し込み突起
Ｃ  カバー面挿入溝
Ｄ  差し込み突起
Ｅ  留め具差し込み穴
Ｆ  差し込み穴
Ｇ  板材料
Ｈ  板材料
【手続補正４】
【補正対象書類名】図面
【補正対象項目名】図１７
【補正方法】削除
【補正の内容】
【手続補正５】
【補正対象書類名】図面
【補正対象項目名】図１８
【補正方法】削除
【補正の内容】
【手続補正６】
【補正対象書類名】図面
【補正対象項目名】図１９
【補正方法】削除
【補正の内容】
【手続補正７】
【補正対象書類名】図面
【補正対象項目名】図２０
【補正方法】削除
【補正の内容】
【手続補正８】
【補正対象書類名】図面
【補正対象項目名】図２１
【補正方法】削除
【補正の内容】
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
差し込み穴と溝を有する工作機械が対応するあらゆる材料であって、規格化された市販板材の木材もしくは規格化された市販板材のアクリル樹脂を材料とする台座と、
工作機械が対応するあらゆる材料であって、規格化された市販板材のアクリル樹脂を材料とするカバー面からなる箱型のディスプレイケースであって、
前記カバー面は、カバー面同士の接続において工作機械が対応するあらゆる材料からなる留め具を用いた差し込み式の組み立て構造であり、
前記カバー面は、前記台座に展示物を設置したまま移動させず１枚ずつ順番に組み立てと分解が可能であり、
前記カバー面は、前記台座以外の全部もしくは一部を同時に取り外すことで内部へのアクセスが可能であり、
製造工程において金型を一切使用せず、かつ接着加工や折り曲げ加工を用いず、かつ前記台座と前記カバー面と前記留め具のみによって構成される
ことを特徴とするディスプレイケース。